(57)【特許請求の範囲】
【請求項１】
弾性を有するシートで形成された台紙の周縁部付近に切り込みを入れて名刺やメモを挟むクリップ用舌片を形成した台紙付きクリップであって、該クリップ用舌片を略親指が挿通できる大きさに形成したうえ着色するとともに、前記クリップ用舌片を指挿通用舌片として利用し、前記台紙を扇面部とする簡易うちわと兼用させることを特徴とする簡易うちわ兼用の台紙付きクリップ。
【発明の詳細な説明】
【技術分野】
【０００１】  本発明は、台紙の周縁部付近に切り込みを入れてクリップ用舌片を形成した台紙付きクリップに関するものである。
【背景技術】
【０００２】  台紙付きクリップの先行技術として「挟着クリップ付き台紙及び挟着クリップ紙葉体」がある（例えば、特許文献１参照）。
また、親指を除く四指を挿入するための指挿通用舌片を形成した簡易うちわに関する先行技術として、「簡易型穴あきうちわ」がある（例えば、特許文献２参照）。
【特許文献１】  特開２０１２−２２３３４０号公報（請求項１〜８，図１〜９）
【特許文献２】  実登３１７２１２９号公報（請求項１〜３，図１〜４）
【発明の開示】
【発明が解決しようとする課題】
【０００３】  本願発明は、台紙にクリップ用舌片を形成した台紙付きクリップのクリップ用舌片を、用途、使用方法、機能が異なる指挿通用舌片として利用し、その作用、効果が異なる簡易うちわと兼用させる台紙付きクリップを提供しようとするものである。
【課題を解決するための手段】
【０００４】  上記課題を解決するため、本発明の簡易うちわ兼用の台紙付きクリップは、弾性を有するシートで形成された台紙の周縁部付近に切り込みを入れて名刺やメモを挟むクリップ用舌片を形成した台紙付きクリップであって、該クリップ用舌片を略親指が挿通できる大きさに形成したうえ着色するとともに、前記クリップ用舌片を指挿通用舌片として利用し、前記台紙を扇面部とする簡易うちわと兼用させる。
【発明の効果】
【０００５】  クリップ用舌片を略親指が挿通できる大きさに形成することで、クリップ用舌片による挟持物の隠蔽面積を少なくすることができ、名刺などの小さな挟着物の露出面を大きくして視認性を高めることができるとともに、クリップ用舌片に着色することで挟着物の視認性をさらに高めることができる。【０００６】  本発明による台紙付きクリップを広告媒体として用いる場合、名刺やメモを挟んで配布することで配布者やその意図を印象づけることができる。【０００７】  クリップ用舌片を、胸ポケットなどに挟んで携帯したり、台紙に宣伝を印刷したものを胸ポケットなどに挟んで宣伝したりすることができる。
【発明を実施するための最良の形態】
【０００８】  クリップ用舌片は、台紙の表面側に舌片の先端部を浮かせて名刺やメモなどの挟着物を挟む用途に用い、指挿通用舌片は、クリップ用舌片と逆方向に動かし、舌片全体を扇面部となる台紙の裏面側に押し込んで指を挿通し、挿通した指をかける用途に用い、それぞれの用途、使用方法、機能が異なり、その作用、効果が異なるものとなる。【０００９】  本発明の簡易うちわ兼用の台紙付きクリップを形成する弾性を有するシートとしては、厚紙、厚手の合成紙、樹脂被覆紙シート、プラスチックシートなどの合成樹脂シート、金属薄板、などの弾性を有するシートを用いることができる。
台紙は、丸、楕円、八角形、四角形、など任意な形状を選択することができる。【００１０】  台紙の周縁部付近に切り込みを入れてクリップ用舌片を形成する実施形態としては、舌片の先端部が台紙の内側を向くように形成する実施形態のほか、外側や側方など台紙の任意な方向に向けて形成する実施形態があり、任意な実施形態を選択することができる。
また、クリップ用舌片の形成は、舌片の周囲の一部分を切り残す状態に切り込みを入れて形成し、舌片の形状は任意な形状を選択することができる。
舌片の周囲の一部分を切り残す状態に切り込みを入れる実施形態としては、切り込みの終端部に裂け止めを設ける実施形態を任意に選択することができる。
また、切り込みの終端部の両終端部を結ぶ線上に、舌片を切り取ったり折り曲げたりするための、ミシン目や押し型などを設ける実施形態を任意に選択することができる。【００１１】  クリップ用舌片を着色する実施形態としては、クリップ用舌片の部位だけを着色する実施形態のほか、台紙部分も含めて着色する実施形態があり、任意に選択できる。
また、着色の実施形態には、単色や複数色により着色する実施形態のほか、絵や図柄などの表示によって着色する実施形態、文字や記号とともに着色する実施形態があり、任意に選択して着色することができる。
【実施例１】
【００１２】    以下図面に基づいて実施例を説明する。
図１は、本発明による簡易うちわ兼用の台紙付きクリップの一実施例を示す平面図である。（縮尺は同一ではない）
実施例では、本発明による簡易うちわ兼用の台紙付きクリップ（１）を構成するため、弾性のあるシートとして厚紙を用いて、一辺２１０ｍｍの正四角形の台紙（２）を形成している。
台紙（２）の右側中央の周縁に、周縁部より略２０ｍｍの間隔を設け、切り込み（３）を入れてクリップ用舌片（４）が形成されている。
クリップ用舌片（４）は先端部が台紙（２）の内側を向くように形成（Ａ）する実施形態が選択され、一辺略３０ｍｍの正四角形の輪郭線に沿って台紙（２）の周縁部側の一辺を残して切り込み（３）を入れて形成され、縦と横が略３０ｍｍのクリップ用舌片（４）が形成されている。
クリップ用舌片（４）を形成する切り込み（３）の両端部は、裂け止め部（Ｂ）が円形に形成されている。
クリップ用舌片（４）は、舌片を台紙（２）の表面側に舌片の先端部を浮かせて、名刺やメモ等を挟む用途に用いられる。
クリップ用舌片（４）は、台紙（２）の裏面側に押し込んで指を挿通することで、指挿通用用舌片として利用することができ、挿通した指をかける用途に用いられる。
実施例では、クリップ用舌片（４）は、略親指が挿通できる大きさに形成（５）したうえ、赤色に着色（６）され、クリップ用舌片（４）による挟着物の隠蔽面積を小さくし、名刺などの小さな挟着物の露出面を大きくして視認性を高めるようにするとともに、着色により挟着物の視認性をさらに高めるように構成されている。
また、実施例では、クリップ用舌片（４）を形成する切り込み（３）の両終端部に設けられた裂け止め部（Ｂ）同士を結ぶ線上に、舌片を切り取ったり折り曲げたりするための、ミシン目（Ｃ）を設ける実施形態が選択されている。
【図面の簡単な説明】
【００１３】
【図１】本発明による簡易うちわ兼用の台紙付きクリップの一実施例を示す平面図である。
【符号の説明】
【００１４】    １  簡易うちわ兼用の台紙付きクリップ
２  台紙
３  切り込み
４  クリップ用舌片
５  略親指が挿通できる大きさに形成
６  着色
Ａ  先端部が台紙の内側を向くように形成
Ｂ  裂け止め部
Ｃ  舌片を切り取ったり折り曲げたりするための、ミシン目
【要約】
【課題】  本願発明は、台紙にクリップ用舌片を形成した台紙付きクリップのクリップ用舌片を、用途、使用方法、機能が異なる指挿通用舌片として利用し、その作用、効果が異なる簡易うちわと兼用させる台紙付きクリップを提供しようとするものである。
【解決手段】上記課題を解決するため、本発明の簡易うちわ兼用の台紙付きクリップは、弾性を有するシートで形成された台紙の周縁部付近に切り込みを入れて名刺やメモを挟むクリップ用舌片を形成した台紙付きクリップであって、該クリップ用舌片を略親指が挿通できる大きさに形成したうえ着色するとともに、前記クリップ用舌片を指挿通用舌片として利用し、前記台紙を扇面部とする簡易うちわと兼用させる。
【選択図】図１【図１】
0005519884.tif 000002